【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
発光物体からの光学カメラ通信の認証を実行するように適合したデバイスであって、前記デバイスは、処理回路を備え、前記処理回路は、
イメージデータから、前記発光物体から放出された変調光データを検出し、前記イメージデータは前記発光物体を描写し、前記イメージデータはイメージセンサによって撮像され、
前記イメージデータから、前記変調光データの発信源として前記発光物体を識別し、
前記変調光データの認証済み発信源として前記発光物体を選択する指示を受け取り、
前記変調光データの前記認証済み発信源として前記発光物体を選択する前記指示に応答して、前記認証済み発信源からの前記変調光データを処理するコマンドを実行する、
デバイス。
【請求項２】
前記イメージデータが、有効な変調光データの複数の発信源を指示し、前記複数の発信源が、前記認証済み発信源および別の発信源を含み、前記変調光データの前記発信源を識別する動作が、有効な変調光データの第１のセットの第１の発信源として前記認証済み発信源を検出して、有効な変調光データの第２のセットの第２の発信源として前記別の発信源を検出する動作によって実行される、請求項１に記載のデバイス。
【請求項３】
前記変調光データを処理する前記コマンドを実行する動作が、前記有効な変調光データの第１のセットを復号して、前記有効な変調光データの第２のセットを復号しない動作を含む、請求項２に記載のデバイス。
【請求項４】
前記処理回路はさらに、前記変調光データの前記認証済み発信源のユーザ認証を、
グラフィカルユーザインタフェース表示を生成する動作であって、前記グラフィカルユーザインタフェース表示は、有効な変調光データの前記複数の発信源の識別を提供する前記イメージデータの出力へのオーバーレイを含む、生成する動作と、
前記グラフィカルユーザインタフェース表示において受け取られたユーザ入力から、前記変調光データの前記認証済み発信源を選択する前記指示を受け取る動作であって、前記ユーザ入力は前記グラフィカルユーザインタフェース表示における前記イメージデータの前記出力の前記オーバーレイ上で受け取られる、受け取る動作と、によって可能にし、
前記発光物体を識別する前記動作は、前記認証済み発信源および前記別の発信源を指示する前記グラフィカルユーザインタフェース表示を生成することを含み、前記認証済み発信源および前記別の発信源の前記指示は、前記グラフィカルユーザインタフェース表示における前記イメージデータの出力のオーバーレイとして提供される、
請求項３に記載のデバイス。
【請求項５】
前記処理回路はさらに、前記変調光データの前記認証済み発信源の前記ユーザ認証によって選択されたデータを、
前記認証済み発信源から取得された前記変調光データからのコンテンツを復号および解釈する動作と、
前記変調光データからの前記復号されて解釈されたコンテンツを出力するように前記グラフィカルユーザインタフェース表示を更新する動作と、によって出力する、
請求項４に記載のデバイス。
【請求項６】
前記処理回路はさらに、前記変調光データの前記認証済み発信源の自動認証を、
前記イメージデータの画像認識を実行する動作によって可能にし、
前記発光物体を識別する前記動作は、前記認証済み発信源および前記別の発信源を指示するための前記イメージデータの画像認識を含み、
前記認証済み発信源として前記発光物体を選択する前記指示は画像認識技術から提供され、前記画像認識技術は、前記イメージデータにおいて前記変調光データの前記発信源を表す物体に対して自動的に実行される、
請求項３に記載のデバイス。
【請求項７】
前記処理回路は、前記変調光データにおいて指示される補助データを、前記認証済み発信源からの前記変調光データから取得された情報を復号および解析する動作であって、前記変調光データから取得された前記情報は、別のデータ発信源からの前記補助データの識別子を指示する、復号および解析する動作と、
前記補助データの前記識別子を用いて、前記別のデータ発信源から前記補助データを取得する動作と、によってさらに取得する、
請求項１に記載のデバイス。
【請求項８】
前記識別子がユニフォームリソースロケータ（ＵＲＬ）であり、前記別のデータ発信源から前記補助データを取得する動作が、無線通信ネットワークを用いた前記ＵＲＬへのアクセスを含む、
請求項７に記載のデバイス。
【請求項９】
前記イメージデータが、自動車に前記自動車から離れる方向のシーンのイメージを撮像するように置かれるカメラから取得され、前記変調光データが、前記シーンの前記イメージをオーバーレイする前記変調光データから取得された情報の自動化された現実表示を生成するように用いられる、
請求項１に記載のデバイス。
【請求項１０】
前記処理回路はさらに、前記認証済み発信源を自動的に認証すべく前記イメージデータからの限られた評価領域を、
前記カメラの位置から撮像されたときの、自動車から離れる前記方向の前記シーンの仰角に基づいて、前記イメージデータの前記限られた評価領域を識別する動作によって識別し、
前記変調光データを検出する動作は前記限られた評価領域に対して実行され、前記変調光データを識別する動作は、前記限られた評価領域に対して実行される、
請求項９に記載のデバイス。
【請求項１１】
発光物体からの光学カメラ通信の認証を実行する方法であって、
イメージデータから、前記発光物体から放出された変調光データを検出する段階であって、前記イメージデータは前記発光物体を描写し、前記イメージデータはイメージセンサによって撮像される、段階と、
前記イメージデータから、前記変調光データの発信源として前記発光物体を識別する段階と、
前記変調光データの認証済み発信源として前記発光物体を選択する指示を受け取る段階と、
前記変調光データの前記認証済み発信源として前記発光物体を選択する前記指示に応答して、前記認証済み発信源からの前記変調光データを処理するコマンドを実行する段階と
を含む電子的動作を備える、方法。
【請求項１２】
前記イメージデータが、有効な変調光データの複数の発信源を指示し、前記複数の発信源が、前記認証済み発信源および別の発信源を含み、前記変調光データの発信源を識別する段階が、有効な変調光データの第１のセットの第１の発信源として前記認証済み発信源を検出して、有効な変調光データの第２のセットの第２の発信源として前記別の発信源を検出することによって実行される、請求項１１に記載の方法。
【請求項１３】
前記変調光データを処理する前記コマンドを実行する段階が、前記有効な変調光データの第１のセットを復号して、前記有効な変調光データの第２のセットを復号しない段階を含む、請求項１２に記載の方法。
【請求項１４】
前記電子的動作がさらに、前記変調光データの前記認証済み発信源のユーザ認証を、
グラフィカルユーザインタフェース表示を生成することであって、前記グラフィカルユーザインタフェース表示は、有効な変調光データの前記複数の発信源の識別を提供する前記イメージデータの出力へのオーバーレイを含む、生成することと、
前記グラフィカルユーザインタフェース表示において受け取られたユーザ入力から、前記変調光データの前記認証済み発信源を選択する前記指示を受け取ることであって、前記ユーザ入力は前記グラフィカルユーザインタフェース表示における前記イメージデータの前記出力の前記オーバーレイ上で受け取られる、受け取ることとによって可能にする段階を含み、
前記発光物体を識別する前記段階は前記認証済み発信源および前記別の発信源を指示する前記グラフィカルユーザインタフェース表示を生成する段階を含み、前記認証済み発信源および前記別の発信源の指示は、前記グラフィカルユーザインタフェース表示における前記イメージデータの出力のオーバーレイとして提供される、
請求項１３に記載の方法。
【請求項１５】
前記電子的動作はさらに、前記変調光データの前記認証済み発信源の前記ユーザ認証によって選択されたデータを、
前記認証済み発信源から取得された前記変調光データからのコンテンツを復号および解釈することと、
前記変調光データからの復号されて解釈された前記コンテンツを出力するように前記グラフィカルユーザインタフェース表示を更新することと
によって出力する段階を備える、請求項１４に記載の方法。
【請求項１６】
前記電子的動作はさらに、前記変調光データの前記認証済み発信源の自動認証を、
前記イメージデータの画像認識を実行することによって可能にする段階を含み、
前記発光物体を識別する前記段階が、前記認証済み発信源および前記別の発信源を指示するための前記イメージデータの画像認識を含み、
前記認証済み発信源として前記発光物体を選択する前記指示は、画像認識技術から提供され、前記画像認識技術は、前記イメージデータにおいて前記変調光データの前記発信源を表す物体に対して自動的に実行される、
請求項１３に記載の方法。
【請求項１７】
前記電子的動作はさらに、前記変調光データにおいて指示される補助データを、
前記認証済み発信源からの、前記変調光データから取得された情報を復号および解析することであって、前記変調光データから取得された前記情報が、別のデータ発信源からの前記補助データの識別子を指示する、ことと、
前記補助データの前記識別子を用いて、前記別のデータ発信源から前記補助データを取得することと
によって取得する段階を含む、
請求項１１に記載の方法。
【請求項１８】
前記識別子がユニフォームリソースロケータ（ＵＲＬ）であり、前記別のデータ発信源から前記補助データを取得することが、無線通信ネットワークを用いた前記ＵＲＬへのアクセスを含む、請求項１７に記載の方法。
【請求項１９】
前記イメージデータが、自動車に前記自動車から離れる方向のシーンのイメージを撮像するように置かれるカメラから取得され、前記変調光データが、前記シーンの前記イメージをオーバーレイする前記変調光データから取得された情報の自動化された現実表示を生成するように用いられる、請求項１１に記載の方法。
【請求項２０】
前記電子的動作がさらに、前記認証済み発信源を自動的に認証するための前記イメージデータからの限られた評価領域を、
前記カメラの位置から撮像されたときの、前記自動車から離れる前記方向の前記シーンの仰角に基づいて、前記イメージデータの前記限られた評価領域を識別することによって識別する段階を含み、
前記変調光データを検出する段階は、前記限られた評価領域に対して実行され、前記変調光データを識別する段階は、前記限られた評価領域に対して実行される、
請求項１９に記載の方法。
【請求項２１】
請求項１１から２０のいずれか一項に記載の方法を実行する手段を備える装置。
【請求項２２】
コンピューティングシステムによって実行されたとき、前記コンピューティングシステムに請求項１１から２０のいずれか一項に記載の方法を実行させるためのプログラム。
【請求項２３】
光学カメラ通信を用いて、変調光データを処理および認証するシステムであって、
光学イメージ撮像システムと、
処理システムと、を備え、
前記処理システムは、
処理回路と、
イメージデータを評価するイメージデータ処理回路であって、前記イメージデータは光発信源からの変調光データの指示を含み、前記イメージデータはイメージセンサによって撮像される、イメージデータ処理回路と、
イメージデータから、前記光発信源から放出された変調光データを検出し、
前記イメージデータから、前記光発信源を前記変調光データの発信源として識別し、
前記変調光データの認証済み発信源として前記光発信源を選択するための指示を受け取り、
前記変調光データの前記認証済み発信源として前記光発信源を選択する前記指示に応答して、前記認証済み発信源からの前記変調光データを処理するコマンドを実行する、
認証データ処理回路とを含む、
変調光データを処理および認証するシステム。
【請求項２４】
変調光出力によって送信されるデータを格納するデータストレージと、
前記変調光出力によって前記データを出力する発光素子と、
前記データストレージと前記発光素子とに連結される処理回路であって、前記発光素子を介した前記変調光出力による前記データの放出を制御する処理回路と、
を有する光発信源システムをさらに備える、
請求項２３に記載のシステム。
【請求項２５】
ネットワーク接続を介してアクセス可能な外部データシステムであって、前記外部データシステムは、
データを格納するデータストレージと、
補助データに対する要求を受け取る通信回路と、
前記補助データを供給する旨の前記要求を処理し、前記要求に応答して前記補助データを送信する、プロセッサおよびメモリと、
を有し、前記補助データに対する前記要求は、前記光発信源からの前記変調光データの読み出しに応答して、前記処理システムから提供され、前記変調光データは、前記補助データの前記要求の詳細を指示する、
外部データシステムをさらに備える、
請求項２３に記載のシステム。
【請求項２６】
請求項２２に記載のプログラムを格納する、少なくとも１つの機械可読可能媒体。